(57)【要約】【課題】個人認証用にＩＣカードを使用するセキュアプリントシステムにおいて、ＩＣカードリーダを持たない安価な機器においてもセキュアプリントを可能にする画像形成システムの提供。【解決手段】  複数人が共有する画像形成装置と該画像形成装置を制御する情報処理装置とがネットワーク接続された画像形成システムにおいて、ユーザーに固有の識別情報を記憶した記録媒体からユーザーに固有の識別情報を受信する手段と、機密性出力情報とともに前記ユーザーに固有の識別情報とを送信する送信手段と、前記機密性出力情報と前記ユーザーに固有の識別情報を受信する受信手段と、前記機密性出力情報と前記ユーザーに固有の識別情報を蓄積する蓄積手段と、前記機密性出力情報と前記ユーザーに固有の識別情報を認識する認識手段と、前記ユーザーに固有の識別情報を元に前記機密性出力情報を復号化する復号手段を備えることを特徴とする画像形成システム。【選択図】        図２
2006222508.tif 000002
【特許請求の範囲】
【請求項１】
複数人が共有する画像形成装置と該画像形成装置を制御する情報処理装置とがネットワーク接続された画像形成システムにおいて、
ユーザーに固有の識別情報を記憶した記録媒体からユーザーに固有の識別情報を受信する手段と、機密性出力情報とともに前記ユーザーに固有の識別情報とを送信する送信手段と、前記機密性出力情報と前記ユーザーに固有の識別情報を受信する受信手段と、前記機密性出力情報と前記ユーザーに固有の識別情報を蓄積する蓄積手段と、前記機密性出力情報と前記ユーザーに固有の識別情報を認識する認識手段と、前記ユーザーに固有の識別情報を元に前記機密性出力情報を復号化する復号手段を備えることを特徴とする画像形成システム。
【請求項２】
前記情報処理装置においては、前記ユーザーに固有の識別情報を記憶した記録媒体から、前記ユーザーに固有の識別情報を受信し、前記機密情報とともに前記画像形成装置に送信し、前記画像形成装置において、前記ユーザーに固有の識別情報を元に前記機密情報を復号化し、画像を形成する際に、前記画像形成装置において、前記ユーザーに固有の識別情報を記憶した記録媒体から前記ユーザーに固有の識別情報を受信する手段がない場合には、前記画像形成装置とネットワーク接続された前記情報処理装置とは別の第二の情報処理装置の存在を前記画像形成装置にあらかじめ設定しておき、前記第二の情報処理装置にて、前記ユーザーに固有の識別情報を記憶した記録媒体から前記ユーザーに固有の識別情報を受信し、前記ユーザーに固有の識別情報を前記画像形成装置に送信し、前記画像形成装置にて、前記第二の情報処理装置から送信された前記ユーザーに固有の識別情報を元に前記機密性情報を複合化し画像を形成する手段を備えることを特徴とする請求項１記載の画像形成システム。
【請求項３】
前記画像処理装置においては、前記ユーザーに固有の識別情報を記憶した記録媒体からユーザーに固有の識別情報を受信する手段と、機密性出力情報とともに前記ユーザーに固有の識別情報とを送信する送信手段と、前記機密性出力情報と前記ユーザーに固有の識別情報を受信する受信手段と、前記機密性出力情報と前記ユーザーに固有の識別情報を蓄積する蓄積手段と、前記機密性出力情報と前記ユーザーに固有の識別情報を認識する認識手段と、前記ユーザーに固有の識別情報を元に前記機密性出力情報を復号化する復号手段を備え、前記情報処理装置において、前記ユーザーに固有の識別情報を記憶した記録媒体から、前記ユーザーに固有の識別情報を受信し、前記機密情報とともに前記画像形成装置に送信し、前記画像形成装置において、前記ユーザーに固有の識別情報を元に前記機密情報を復号化し、画像を形成する際に、前記画像形成装置において、前記ユーザーに固有の識別情報を記憶した記録媒体から前記ユーザーに固有の識別情報を受信する手段がない場合には、前記画像形成装置とネットワーク接続された前記情報処理装置とは別の第二の情報処理装置の存在を前記ネットワーク上で検索し、前記第二の情報処理装置にて、前記ユーザーに固有の識別情報を記憶した記録媒体から前記ユーザーに固有の識別情報を受信し、前記ユーザーに固有の識別情報を前記画像形成装置に送信し、前記画像形成装置にて、前記第二の情報処理装置から送信された前記ユーザーに固有の識別情報を元に前記機密性情報を複合化し画像を形成する手段を備えることを特徴とする請求項１または請求項２に記載の画像形成システム。
【発明の詳細な説明】
【技術分野】
【０００１】
本発明は画像形成システムに関し、デジタル画像を扱うことが可能である複写機、スキャナ、プリンタ、ファクシミリ、およびそれらの機能を複数備える複合機と、それらの機器の情報処理方法に関する。
【背景技術】
【０００２】
近年、レーザービームプリンタ（ＬＢＰ）やインクジェットプリンタ（ＩＪＰ）などの高画質化、低価格化の促進により、物理的な衝撃を与えずに紙などの記録媒体に印刷することが可能な、この種のノンインパクトプリンタが急速に普及してきている。そしてそのノンインパクトプリンタの普及に伴って、複写機のデジタル化が進展するとともに、複写機を単にコピー用に使用するだけではなく、その複写機にスキャナ機能、あるいはファクシミリ機能などを備えた、いわゆる複合機（Ｍｕｌｔｉ  Ｆｕｎｃｔｉｏｎ  Ｐｒｉｎｔｅｒ：ＭＦＰ）が急速に普及してきている。
【０００３】
このような複合機は、ネットワークに対してインターフェース機能をつかさどるネットワークインターフェースを有し、ネットワークに接続されたコンピュータなどを介して、前記複合機を複数のユーザーで共有することが可能である。そして、このように種々の機能を有する複合機を複数のユーザーで共有することによって、オフィススペースにおける機器の占有面積を減少させることが可能であり、機器の利用効率を向上させることも可能である。
【０００４】
また、このような複合機は、ハードディスクドライブ（ＨＤＤ）の大容量化、半導体からなるメモリ装置の大容量化、低価格化が進んできており、これに伴い、記憶容量単位でのコストも低廉化してきている。そして、一部の複合機においては、プリンタ機能として、原稿画像やページ記述言語（Ｐａｇｅ  Ｄｅｓｃｒｉｐｔｉｏｎ  Ｌａｎｇｕａｇｅ：ＰＤＬ）で記述された出力情報を画像データに変換し、その画像データを画像圧縮して一旦ハードディスクドライブ（ＨＤＤ）やダイナミックランダムアクセスメモリ（ＤＲＡＭ）などに格納し、複数ページあるいは複数部数の画像データが蓄積された時点で、前記画像データを一括してリアルタイムに伸張しながら出力する方式が開発されている。
【０００５】
このような複合機においては、ページ記述言語（ＰＤＬ）で記述された出力情報を画像展開するときの展開時間がデータの内容によって大幅に異なるため、複写機能、画像読み取り（スキャナ）機能、印刷（プリンタ）機能、ファクシミリ機能、などの複数の諸機能を見かけ上同時に実行することが可能となり、プリンタやスキャナの効率の良い使用が可能となる。すなわち、前記複合機においては、複数ページあるいは複数部数の画像データが蓄積された時点で、前記画像データを一括してリアルタイムに伸張しながら出力するので、複写機能が動作していないにもかかわらずプリントジョブ実行中は他のジョブ処理を実行することができないという問題を解消することができる。
【特許文献１】特開平１１−２１２７４４号公報
【発明の開示】
【発明が解決しようとする課題】
【０００６】
しかしながら、前記従来の複合機において、たとえば、複数のユーザーが同時にプリント動作の指定をした場合、出力された各プリントジョブは排紙トレイ上で混在し、その結果、ユーザーがプリント動作の終了後に自己の出力されたプリントジョブを取りにきたときに、その出力されたプリントジョブを探すのに手間取るおそれがある。
【０００７】
このような問題を解消する手段としては、排紙トレイをジョブごとにシフトさせて、ジョブごとの分別を見分けやすくしたり、あるいは、ソーターのビンをジョブごとに割り当てるなどの工夫をすることが考えられる。
【０００８】
ただし、このような工夫は、前記複合機を共有するユーザーが多い場合には、排紙トレイやソーターのビンが短時間で満杯をなってしまうため、根本的な解決策とはならない。
【０００９】
また、ユーザー自らプリント動作を指定して、プリントジョブを実行させたにもかかわらず、長時間の間、その出力されたプリントジョブを取りに行かずに放置した場合や、その出力されたプリントジョブを取りに行くのを忘れてしまった場合は、排紙トレイに記録用紙があふれ、自己のプリントジョブを探し出すのに長時間を要するおそれがある。
【００１０】
さらに、他人が自己のプリントジョブを間違って持ち去ったために、所望の出力されたプリントジョブを見つけ出すことができなくなるおそれもある。
【００１１】
このような問題は、機密性が要求される情報を出力した場合には、特に深刻な問題となる。
【００１２】
このような問題を解消する手段としては、機密性を有する文書情報などを出力する場合は、ユーザーがプリントジョブを実行させるときに、たとえば「セキュア印刷」というプリントジョブを指定して実行し、そのセキュア印刷となったプリントジョブに対して、パスワードが付加されて複合機に送信され、複合機においては、前記セキュア印刷となったプリントジョブに対して、実際のプリント動作を行なわずに前記複合機のハードディスクドライブ（ＨＤＤ）などの大容量の記憶装置に蓄積しておき、その後ユーザーが複合機のパネルなどのユーザーインターフェースにおいて前記セキュア印刷のプリントジョブを指定し、そのセキュア印刷のプリントジョブに対応するパスワードを入力したあと、前記複合機のハードディスクドライブ（ＨＤＤ）などの大容量の記憶装置から前記セキュア印刷となったプリントジョブを実行し、実際のプリント動作を行なうことで、出力される文書情報の機密性を確保することが行なわれている（例えば、特許文献１参照）。
【００１３】
さらに、セキュア印刷のプリントジョブに対するパスワード入力だけではなく、個人情報をＩＣカードなどの記録媒体に記憶しておき、セキュア印刷ジョブを送信する際に、セキュア印刷ジョブを発行するパーソナルコンピュータ（ＰＣ）などに備わったＩＣカードリーダのような個人情報を記憶したＩＣカードから個人情報を引き出せる装置から、ＩＣカード入力によって、ユーザーがセキュア印刷ジョブといっしょに個人認証を行い、その後、ユーザーが複合機において前記セキュア印刷ジョブを実行する際にも、前記複合機に備わった、前記パーソナルコンピュータ（ＰＣ）などに備わったＩＣカードリーダと同様な、個人情報を記憶したＩＣカードから個人情報を引き出せる装置からＩＣカード入力によって、ユーザーがセキュア印刷ジョブに対応した個人認証を行なうことで、より高い機密性を確保することが行なわれている。
【００１４】
しかしながら、このように出力される文書情報の機密性を確保する場合においては、ＩＣカードなどの個人情報を記憶した記録媒体が必要であり、かつ、ユーザーがセキュア印刷ジョブを発行する際にも、また複合機などでセキュア印刷を実行する際にもＩＣカードおよびそれら個人情報が記憶された記録媒体から個人情報を引き出すＩＣカードリーダなどが必要となる。
【００１５】
すなわち、社内ＬＡＮなどで構築されたネットワークにおいて、ＩＣカードなどの個人情報を記憶した記録媒体を使用して機密性の高いセキュア印刷ジョブを実現するためには、セキュア印刷ジョブを発行するパーソナルコンピュータ（ＰＣ）などの上位装置と、セキュア印刷ジョブを実行する複合機などの印刷装置の双方ともに、ＩＣカードリーダなどの、ＩＣカードなどの個人情報を記憶した記録媒体から個人情報を引き出すための装置が必要となり、システム全体としては高価なものになってしまうという問題がある。
【００１６】
また、既存の社内ＬＡＮなどのネットワークには、複合機などのＩＣカードリーダが接続可能な印刷装置ばかりではなく、プリンタなどの単機能周辺機器（ＳＦＰ）も接続されているにもかかわらず、ＩＣカードなどの個人情報を記憶した記録媒体を使用して機密性の高いセキュア印刷を実現可能となるのは、ＩＣカードリーダが接続可能な複合機に対して印刷ジョブを発行する場合のみとなってしまい、資源が有効に活用されないという問題もある。
【００１７】
本発明は、以上の点に着目して成されたもので、個人認証用にＩＣカードを使用するセキュアプリントシステムにおいて、ＩＣカードリーダを持たない安価な機器においてもセキュアプリントを可能にする画像形成システムを提供することを目的とする。
【課題を解決するための手段】
【００１８】
本発明は、上記問題を解決するために考えられたもので、複数人が共有する画像形成装置と該画像形成装置を制御する情報処理装置とがネットワーク接続された画像形成システムにおいて、
ユーザーに固有の識別情報を記憶した記録媒体からユーザーに固有の識別情報を受信する手段と、機密性出力情報とともに前記ユーザーに固有の識別情報とを送信する送信手段と、前記機密性出力情報と前記ユーザーに固有の識別情報を受信する受信手段と、前記機密性出力情報と前記ユーザーに固有の識別情報を蓄積する蓄積手段と、前記機密性出力情報と前記ユーザーに固有の識別情報を認識する認識手段と、前記ユーザーに固有の識別情報を元に前記機密性出力情報を復号化する復号手段を備え、前記情報処理装置において、前記ユーザーに固有の識別情報を記憶した記録媒体から、前記ユーザーに固有の識別情報を受信し、前記機密情報とともに前記画像形成装置に送信し、前記画像形成装置において、前記ユーザーに固有の識別情報を元に前記機密情報を復号化し、画像を形成する際に、前記画像形成装置において、前記ユーザーに固有の識別情報を記憶した記録媒体から前記ユーザーに固有の識別情報を受信する手段がない場合には、前記画像形成装置とネットワーク接続された前記情報処理装置とは別の第二の情報処理装置の存在を前記画像形成装置にあらかじめ設定しておき、前記第二の情報処理装置にて、前記ユーザーに固有の識別情報を記憶した記録媒体から前記ユーザーに固有の識別情報を受信し、前記ユーザーに固有の識別情報を前記画像形成装置に送信し、前記画像形成装置にて、前記第二の情報処理装置から送信された前記ユーザーに固有の識別情報を元に前記機密性情報を複合化し画像を形成する手段を備えることを特徴とする。
【００１９】
複数人が共有する画像形成装置と該画像形成装置を制御する情報処理装置とがネットワーク接続された画像形成システムにおいて、
ユーザーに固有の識別情報を記憶した記録媒体からユーザーに固有の識別情報を受信する手段と、機密性出力情報とともに前記ユーザーに固有の識別情報とを送信する送信手段と、前記機密性出力情報と前記ユーザーに固有の識別情報を受信する受信手段と、前記機密性出力情報と前記ユーザーに固有の識別情報を蓄積する蓄積手段と、前記機密性出力情報と前記ユーザーに固有の識別情報を認識する認識手段と、前記ユーザーに固有の識別情報を元に前記機密性出力情報を復号化する復号手段を備え、前記情報処理装置において、前記ユーザーに固有の識別情報を記憶した記録媒体から、前記ユーザーに固有の識別情報を受信し、前記機密情報とともに前記画像形成装置に送信し、前記画像形成装置において、前記ユーザーに固有の識別情報を元に前記機密情報を復号化し、画像を形成する際に、前記画像形成装置において、前記ユーザーに固有の識別情報を記憶した記録媒体から前記ユーザーに固有の識別情報を受信する手段がない場合には、前記画像形成装置とネットワーク接続された前記情報処理装置とは別の第二の情報処理装置の存在を前記ネットワーク上で検索し、前記第二の情報処理装置にて、前記ユーザーに固有の識別情報を記憶した記録媒体から前記ユーザーに固有の識別情報を受信し、前記ユーザーに固有の識別情報を前記画像形成装置に送信し、前記画像形成装置にて、前記第二の情報処理装置から送信された前記ユーザーに固有の識別情報を元に前記機密性情報を複合化し画像を形成する手段を備えることを特徴とする。
【発明の効果】
【００２０】
本発明にかかる画像形成システムによれば、ユーザーがＩＣカードなどの個人認証情報によって機密性の高いセキュア印刷ジョブなどを行なう場合において、ＩＣカードリーダなどを備える複合機をあらかじめ登録しておくことによって、ＩＣカーリーダなどを備えていないプリンタなどにもセキュアジョブを実行させることが可能である。
【００２１】
また、本発明にかかる画像形成システムによれば、ユーザーがＩＣカードなどの個人認証情報によって機密性の高いセキュア印刷ジョブなどを行なう場合において、ＩＣカードリーダなどを備える複合機をあらかじめ登録しておかなくても、ネットワーク上にＩＣカードリーダを備える複合機を検索し、その複合機を使用することによって、その他のＩＣカーリーダなどを備えていないプリンタなどにもセキュアジョブを実行させることが可能である。
【００２２】
また、本発明にかかる画像形成システムによれば、ユーザーがＩＣカードなどの個人認証情報によって機密性の高いセキュア印刷ジョブなどを行なう場合において、ネットワーク上にＩＣカードリーダを備える複合機が１台でもあれば、その他のＩＣカーリーダなどを備えていないプリンタなどにもセキュアジョブを実行させることが可能である。
【００２３】
また、本発明にかかる画像形成システムによれば、ユーザーがＩＣカードなどの個人認証情報によって機密性の高いセキュア印刷ジョブなどを行なう場合において、ネットワーク上にＩＣカードリーダを備える複合機が１台でもあれば、その他のＩＣカーリーダなどを備えていないプリンタなどのセキュアジョブ全体の管理を効率良く行なうことが可能である。
【００２４】
また、本発明にかかる画像形成システムによれば、ユーザーがＩＣカードなどの個人認証情報によって機密性の高いセキュア印刷ジョブなどを行なう場合において、ＩＣカードリーダなどを備える複合機から実際にセキュアジョブを行なうプリンタなどへのデータ通信が、ユーザーがＩＣカードなどに登録してある個人情報だけ（言うまでもなく暗号化されている）であることから、セキュアジョブ全体のデータ通信効率の向上が可能である。
【発明を実施するための最良の形態】
【００２５】
以下、本発明の実施の形態を図面にしたがって説明する。
【実施例】
【００２６】
図１は、本発明の構成を説明する図である。
同図において、１００は、コピー機能を持つ複写機にスキャナ機能、プリンタ機能、ファクシミリ機能などを備えた複合機（Ｍｕｌｔｉ  Ｆｕｎｃｔｉｏｎ  Ｐｒｉｎｔｅｒ：ＭＦＰ）であり、１０１は、パネルなどのユーザーインターフェース（ＵＩ）であり、１０２は、前記複合機（ＭＦＰ）に備わるＩＣカードリーダなどのカードインターフェース（ＣＡＲＤ  Ｉ／Ｆ）である。
【００２７】
１１０は、プリンタやＦＡＸなどの単機能周辺機器（ＳＦＰ）である。
【００２８】
１２０は、オフィスなどのパーソナルコンピュータ（ＰＣ）であり、１２１は、前記複合機（ＭＦＰ）に備わるＩＣカードリーダなどのカードインターフェース（ＣＡＲＤ  Ｉ／Ｆ）と同様なＩＣカードリーダなどのインターフェース（ＣＡＲＤ  Ｉ／Ｆ）である。
【００２９】
前記複合機（ＭＦＰ）と前記単機能周辺機器（ＳＦＰ）と前記パーソナルコンピュータ（ＰＣ）は、１３０の社内ＬＡＮなどのネットワークで接続されている。
【００３０】
図２は、前記本発明の構成要素を詳細に説明する図である。
同図において、１００は、図１と同様に複合機（ＭＦＰ）であり、１０１は、図１と同様に、前記複合機（ＭＦＰ）に備わるパネルなどのユーザーインターフェース（ＵＩ）であり、１０２は、図１と同様に、前記複合機（ＭＦＰ）に備わるＩＣカードリーダなどのカードインターフェース（ＣＡＲＤ  Ｉ／Ｆ）であり、１０３は、前記複合機（ＭＦＰ）の制御をつかさどる中央演算装置（Ｃｅｎｔｒａｌ  Ｐｒｏｃｅｓｓｉｎｇ  Ｕｎｉｔ：ＣＰＵ）であり、１０４は、前記複合機（ＭＦＰ）の処理全般において一時的な記憶領域として使用されるメモリであり、１０５は、前記複合機（ＭＦＰ）に備わる大容量の記憶装置としてのハードディスクドライブ（ＨＤＤ）であり、１０６は、前記複合機（ＭＦＰ）に備わるネットワークインターフェースなどの入出力部（Ｉｎｐｕｔ  Ｏｕｔｐｕｔ）であり、１０７は、画像データの読み取りを行なうスキャナ部であり、１０８は、前記スキャナ部で読み取った画像データを印刷するプリンタ部であり、１０９は、前記ブロックを接続するシステムバスである。
【００３１】
１１０は、図１と同様にプリンタやＦＡＸなどの単機能周辺機器（ＳＦＰ）であり、１１１は、前記単機能周辺機器（ＳＦＰ）の制御をつかさどる中央演算装置（Ｃｅｎｔｒａｌ  Ｐｒｏｃｅｓｓｉｎｇ  Ｕｎｉｔ：ＣＰＵ）であり、１１２は、前記単機能周辺機器（ＳＦＰ）の処理全般において一時的な記憶領域として使用されるメモリであり、１１３は、前記単機能周辺機器（ＳＦＰ）に備わる大容量の記憶装置としてのハードディスクドライブ（ＨＤＤ）であり、１１４は、前記単機能周辺機器（ＳＦＰ）に備わるパネルなどのユーザーインターフェース（ＵＩ）であり、１１５は、前記単機能周辺機器（ＳＦＰ）に備わるネットワークインターフェースなどの入出力部（Ｉｎｐｕｔ  Ｏｕｔｐｕｔ）であり、１１６は、前記単機能周辺機器（ＳＦＰ）に備わる画像データを印刷するプリンタ部であり、１１７は、前記ブロックを接続するシステムバスである。
【００３２】
１２０は、図１と同様にオフィスなどのパーソナルコンピュータ（ＰＣ）であり、１２１は、前記複合機（ＭＦＰ）に備わるＩＣカードリーダなどのカードインターフェース（ＣＡＲＤ  Ｉ／Ｆ）と同様なＩＣカードリーダなどのインターフェース（ＣＡＲＤ  Ｉ／Ｆ）であり、１２２は、前記パーソナルコンピュータ（ＰＣ）の制御をつかさどる中央演算装置（Ｃｅｎｔｒａｌ  Ｐｒｏｃｅｓｓｉｎｇ  Ｕｎｉｔ：ＣＰＵ）であり、１２３は、前記パーソナルコンピュータ（ＰＣ）の処理全般において一時的な記憶領域として使用されるメモリであり、１２４は、前記パーソナルコンピュータ（ＰＣ）に備わるネットワークインターフェースなどの入出力部（Ｉｎｐｕｔ  Ｏｕｔｐｕｔ）であり、１２５は、前記パーソナルコンピュータ（ＰＣ）に備わる大容量の記憶装置としてのハードディスクドライブ（ＨＤＤ）であり、１２６は、前記ブロックを接続するシステムバスであり、１２７は、前記パーソナルコンピュータ（ＰＣ）の入力情報を出力表示するディスプレイであり、１２８は、前記パーソナルコンピュータ（ＰＣ）にデータ入力を行なうキーボードである。
【００３３】
前記複合機（ＭＦＰ）と前記単機能周辺機器（ＳＦＰ）と前記パーソナルコンピュータ（ＰＣ）は、図１と同様に１３０の社内ＬＡＮなどのネットワークで接続されている。
【００３４】
このような構成された前記複合機（ＭＦＰ）１００においては、前記パーソナルコンピュータ（ＰＣ）１１０や１２０から送られてきたページ記述言語（Ｐａｇｅ  Ｄｅｓｃｒｉｐｔｉｏｎ  Ｌａｎｇｕａｇｅ：ＰＤＬ）で記述された出力情報を受け取ると、前記中央演算装置（Ｃｅｎｔｒａｌ  Ｐｒｏｃｅｓｓｉｎｇ  Ｕｎｉｔ：ＣＰＵ）１０３では、前記複合機（ＭＦＰ）１１０のプリント部１０７が受け取り可能な画像データに変換したり、あるいは、前記複合機（ＭＦＰ）１１０のスキャナ部１０６から読み取った画像データに対して画像圧縮処理などを行なって前記複合機（ＭＦＰ）の一時記憶領域であるメモリ１０４にいったん格納し、前記パーソナルコンピュータ（ＰＣ）１１０や１２０から送られてきた命令にしたがってファクシミリ送信などを行なう。
【００３５】
図３は、本発明の第一の実施例を説明するフローチャートである。
この図３と、図４を用いて、本発明の第一の実施例における実施手順を説明する。
オフィスに置かれ複数のパーソナルコンピュータ（ＰＣ）などに接続された単機能周辺機器（ＳＦＰ）において、ユーザーが単機能周辺機器（ＳＦＰ）に印刷ジョブを送信する（Ｓ３０１）。
【００３６】
前記単機能周辺機器（ＳＦＰ）は、受信した印刷ジョブがＩＣカードによる個人認証を必要とするセキュアジョブかどうかを判断する（Ｓ３０２）。
【００３７】
前記単機能周辺機器（ＳＦＰ）が受信した印刷ジョブが、ＩＣカードによる個人認証を必要とするセキュアジョブだった場合、単機能周辺機器（ＳＦＰ）は、そのセキュアジョブを保存する（Ｓ３０３）。
【００３８】
前記単機能周辺機器（ＳＦＰ）は、セキュアジョブを保存すると、社内ＬＡＮなどのネットワーク上に接続された、あらかじめ設定されてある複合機（ＭＦＰ）に対して、セキュアジョブを受信した旨を通知する（Ｓ３０４）。
【００３９】
前記社内ＬＡＮなどのネットワーク上に接続されたＩＣカードによる個人認証とセキュアジョブが実行可能な複合機（ＭＦＰ）は、単機能周辺機器（ＳＦＰ）からセキュアジョブ受信の通知を受けると、自身のセキュアジョブリストに、前記単機能周辺機器（ＳＦＰ）から通知されたセキュアジョブを追加する（Ｓ３０５）。
【００４０】
前記ユーザーは、前記社内ＬＡＮなどのネットワーク上に接続された、あらかじめ設定されてある複合機（ＭＦＰ）に対して、ＩＣカードリーダによる個人認証を行う（Ｓ３０６）。
【００４１】
前記ユーザーが、前記ＩＣカードによる個人認証とセキュアジョブを実行可能な複合機（ＭＦＰ）において、その個人認証が成功すると、前記ＩＣカードによる個人認証とセキュアジョブを実行可能な複合機（ＭＦＰ）は、前記ユーザーの個人認証で復号可能なセキュアジョブを、自身のセキュアジョブリストの中から検索する（Ｓ３０７）。
【００４２】
検索されたセキュアジョブが、前記単機能周辺機器（ＳＦＰ）から通知されたセキュアジョブだった場合（Ｓ３０８）、前記ＩＣカードによる個人認証とセキュアジョブを実行可能な複合機（ＭＦＰ）は、ＩＣカードによる個人情報からの鍵情報およびジョブ実行を前記単機能周辺機器（ＳＦＰ）に通知する（Ｓ３０９）。
【００４３】
前記ＩＣカードによる個人認証とセキュアジョブを実行可能な複合機（ＭＦＰ）から前記単機能周辺機器（ＳＦＰ）が通知したセキュアジョブに対して、その復号用の鍵情報およびジョブ実行の通知を受けた単機能周辺機器（ＳＦＰ）は、通知された鍵情報を使って保存していたセキュアジョブを復号化する（Ｓ３１０）。
【００４４】
前記単機能周辺機器（ＳＦＰ）は、前記復号化したセキュアジョブを実行する（Ｓ３１１）。
【００４５】
また、前記ＩＣカードによる個人認証とセキュアジョブを実行可能な複合機（ＭＦＰ）において検索されたセキュアジョブが、前記単機能周辺機器（ＳＦＰ）から通知されたセキュアジョブではなかった場合（Ｓ３０８）、すなわち、前記ＩＣカードによる個人認証とセキュアジョブを実行可能な複合機（ＭＦＰ）自身のセキュアジョブだった場合、前記複合機（ＭＦＰ）は、ＩＣカードによる個人情報からの鍵情報を使ってセキュアジョブを復号化する（Ｓ３１２）。
【００４６】
前記複合機（ＭＦＰ）は、前記復号化したセキュアジョブを実行する（Ｓ３１３）。
【００４７】
また、前記単機能周辺機器（ＳＦＰ）が受信した印刷ジョブが、ＩＣカードによる個人認証を必要とするセキュアジョブではなかった場合（Ｓ３０２）、前記単機能周辺機器（ＳＦＰ）は、前記ジョブを実行する（Ｓ３１１）。
【００４８】
図４は、ユーザーが単機能周辺機器（ＳＦＰ）に対して、ＩＣカードによる個人認証を必要とするセキュアジョブを送信した場合の前記パーソナルコンピュータ（ＰＣ）の画面上に表示されるダイアログである。
【００４９】
図において、４００は、前記ユーザーが操作する前記パーソナルコンピュータ（ＰＣ）の画面上に表示されるダイアログであり、４０１は、前記単機能周辺機器（ＳＦＰ）に対して、前記社内ＬＡＮなどのネットワーク上に接続された、あらかじめ設定されてある複合機（ＭＦＰ）のマシン名およびその場所を示す一覧表示であり、４０２は、前記ＩＣカードによる個人認証を必要とするセキュアジョブをキャンセルするためのボタンであり、４０３は、前記ＩＣカードによる個人認証を必要とするセキュアジョブを実行するためのボタンである。
【００５０】
ユーザーが、前記パーソナルコンピュータ（ＰＣ）の画面上において、前記社内ＬＡＮなどのネットワーク上に接続された、前記単機能周辺機器（ＳＦＰ）にあらかじめ設定されてある複合機（ＭＦＰ）のマシン名およびその場所を確認し、前記ＩＣカードによる個人認証を必要とするセキュアジョブを実行するボタンを押すことで、図３で説明したフローチャートにしたがって、第一の実施例における実施手順にしたがって処理が進められる。
【００５１】
図５は、本発明の第二の実施例を説明するフローチャートである。
第二の実施例は、第一の実施の形態において、オフィスに置かれ複数のパーソナルコンピュータ（ＰＣ）などに接続された単機能周辺機器（ＳＦＰ）に対して印刷ジョブを送信する際に、社内ＬＡＮなどのネットワーク上に接続された、あらかじめ設定されてある複合機（ＭＦＰ）がない場合に、どのように処理するかという点に特徴がある。
【００５２】
この図５と、図６を用いて、本発明の第二の実施例における実施手順を説明する。
【００５３】
オフィスに置かれ複数のパーソナルコンピュータ（ＰＣ）などに接続された単機能周辺機器（ＳＦＰ）において、ユーザーが単機能周辺機器（ＳＦＰ）に印刷ジョブを送信する（Ｓ５０１）。
【００５４】
前記単機能周辺機器（ＳＦＰ）は、受信した印刷ジョブがＩＣカードによる個人認証を必要とするセキュアジョブかどうかを判断する（Ｓ５０２）。
【００５５】
前記単機能周辺機器（ＳＦＰ）が受信した印刷ジョブが、ＩＣカードによる個人認証を必要とするセキュアジョブだった場合、単機能周辺機器（ＳＦＰ）は、前記社内ＬＡＮなどのネットワーク上に、ＩＣカードによる個人認証と前記セキュアジョブを実行可能な複合機（ＭＦＰ）があるかどうかを検索する（Ｓ５０３）。
【００５６】
前記社内ＬＡＮなどのネットワーク上に、ＩＣカードによる個人認証を実行可能な複合機（ＭＦＰ）があった場合（Ｓ５０４）、単機能周辺機器（ＳＦＰ）は、そのセキュアジョブを保存する（Ｓ５０５）。
【００５７】
前記単機能周辺機器（ＳＦＰ）は、セキュアジョブを保存すると、前記検索の結果による、社内ＬＡＮなどのネットワーク上のＩＣカードによる個人認証とセキュアジョブを実行可能な複合機（ＭＦＰ）を選択する（Ｓ５０６）。
【００５８】
前記単機能周辺機器（ＳＦＰ）は、前記ＩＣカードによる個人認証とセキュアジョブを実行可能な複合機（ＭＦＰ）に対して、セキュアジョブを受信した旨を通知する（Ｓ５０７）。
【００５９】
前記社内ＬＡＮなどのネットワーク上に接続された、ＩＣカードによる個人認証とセキュアジョブが実行可能な複合機（ＭＦＰ）は、単機能周辺機器（ＳＦＰ）単機能周辺機器（ＳＦＰ）からセキュアジョブ受信の通知を受けると、自身のセキュアジョブリストに、前記単機能周辺機器（ＳＦＰ）から通知されたセキュアジョブを追加する（Ｓ５０８）。
【００６０】
前記ユーザーは、前記社内ＬＡＮなどのネットワーク上に接続された、前記ＩＣカードによる個人認証とセキュアジョブを実行可能な複合機（ＭＦＰ）に対して、ＩＣカードリーダによる個人認証を行う（Ｓ５０９）。
【００６１】
前記ユーザーが、前記ＩＣカードによる個人認証とセキュアジョブを実行可能な複合機（ＭＦＰ）において、その個人認証が成功すると、前記ＩＣカードによる個人認証とセキュアジョブを実行可能な複合機（ＭＦＰ）は、前記ユーザーの個人認証で復号可能なセキュアジョブを、自身のセキュアジョブリストの中から検索する（Ｓ５１０）。
【００６２】
検索されたセキュアジョブが、前記単機能周辺機器（ＳＦＰ）から通知されたセキュアジョブだった場合（Ｓ５１１）、前記ＩＣカードによる個人認証とセキュアジョブを実行可能な複合機（ＭＦＰ）は、ＩＣカードによる個人情報からの鍵情報およびジョブ実行を前記単機能周辺機器（ＳＦＰ）に通知する（Ｓ５１２）。
【００６３】
前記ＩＣカードによる個人認証とセキュアジョブを実行可能な複合機（ＭＦＰ）から前記単機能周辺機器（ＳＦＰ）が通知したセキュアジョブに対して、その復号用の鍵情報およびジョブ実行の通知を受けた単機能周辺機器（ＳＦＰ）は、通知された鍵情報を使って保存していたセキュアジョブを復号化する（Ｓ５１３）。
【００６４】
前記単機能周辺機器（ＳＦＰ）は、前記復号化したセキュアジョブを実行する（Ｓ５１４）。
【００６５】
また、前記ＩＣカードによる個人認証とセキュアジョブを実行可能な複合機（ＭＦＰ）において検索されたセキュアジョブが、前記単機能周辺機器（ＳＦＰ）から通知されたセキュアジョブではなかった場合（Ｓ５１１）、すなわち、前記ＩＣカードによる個人認証とセキュアジョブを実行可能な複合機（ＭＦＰ）自身のセキュアジョブだった場合、前記複合機（ＭＦＰ）は、ＩＣカードによる個人情報からの鍵情報を使ってセキュアジョブを復号化する（Ｓ５１５）。
【００６６】
また、前記単機能周辺機器（ＳＦＰ）が受信した印刷ジョブが、ＩＣカードによる個人認証を必要とするセキュアジョブではなかった場合（Ｓ５０２）、前記単機能周辺機器（ＳＦＰ）は、前記ジョブを実行する（Ｓ５１４）。
【００６７】
また、前記社内ＬＡＮなどのネットワーク上に、ＩＣカードによる個人認証を実行可能な複合機（ＭＦＰ）がなかった場合（Ｓ５０４）、単機能周辺機器（ＳＦＰ）は、そのセキュアジョブを実行不可能である旨をユーザーに通知して、処理を終了する。
【００６８】
図６は、ユーザーが単機能周辺機器（ＳＦＰ）に対して、ＩＣカードによる個人認証を必要とするセキュアジョブを送信した場合の前記パーソナルコンピュータ（ＰＣ）の画面上に表示されるダイアログである。
【００６９】
図において、６００は、前記ユーザーが操作する前記パーソナルコンピュータ（ＰＣ）の画面上に表示されるダイアログであり、６０１は、前記単機能周辺機器（ＳＦＰ）に対して、前記社内ＬＡＮなどのネットワーク上に接続された、ＩＣカードによる個人認証と前記セキュアジョブを実行可能な複合機（ＭＦＰ）があるかどうかを検索した結果の一覧表示であり、ＩＣカードによる個人認証と前記セキュアジョブを実行可能な複合機（ＭＦＰ）のマシン名およびその場所が示されており、６０２は、前記ＩＣカードによる個人認証を必要とするセキュアジョブをキャンセルするためのボタンであり、６０３は、前記ＩＣカードによる個人認証を必要とするセキュアジョブを実行するためのボタンであり、６０４は、前記前記単機能周辺機器（ＳＦＰ）に対して、前記社内ＬＡＮなどのネットワーク上に接続された、ＩＣカードによる個人認証と前記セキュアジョブを実行可能な複合機（ＭＦＰ）があるかどうかを検索した結果の一覧表示から、ユーザーがどの複合機（ＭＦＰ）にＩＣカードによる個人認証と前記セキュアジョブを実行させるかを選択するためのボタンである。
【００７０】
ユーザーが、前記パーソナルコンピュータ（ＰＣ）の画面上において、前記社内ＬＡＮなどのネットワーク上に接続された、ＩＣカードによる個人認証と前記セキュアジョブを実行可能な複合機（ＭＦＰ）があるかどうかを検索した結果の一覧表示から、ＩＣカードによる個人認証と前記セキュアジョブを実行可能な複合機（ＭＦＰ）を選択し、またその場所を確認して、前記ＩＣカードによる個人認証を必要とするセキュアジョブを実行するボタンを押すことで、図５で説明したフローチャートにしたがって、第二の実施例における実施手順にて処理が進められる。
【００７１】
ここで、第一の実施例、第二の実施例の両方において、前記ＩＣカードによる個人認証とセキュアジョブを実行可能な複合機（ＭＦＰ）から前記単機能周辺機器（ＳＦＰ）が通知したセキュアジョブに対して、その復号用の鍵情報およびジョブ実行の通知は、ＳＳＨやＳＳＬなどのいわゆる暗号化されて経路を使用して送受信されることは言うまでもない。
【００７２】
また、ここでは複合機（ＭＦＰ）で説明したが、これまでの説明で明らかなように、社内ＬＡＮなどのネットワーク上に接続され、ＩＣカードによる個人認証とセキュアジョブを実行可能な機能を有していればよく、たとえばパーソナルコンピュータ（ＰＣ）でもまったく同じことが可能であり、複合機（ＭＦＰ）に限定されるものではない。
【図面の簡単な説明】
【００７３】
【図１】本発明の構成を説明する図である。
【図２】本発明の構成要素を詳細に説明する図である。
【図３】本発明の第一の実施例を説明するフローチャートである。
【図４】第一の実施例におけるパーソナルコンピュータ（ＰＣ）の画面上に表示されるダイアログである。
【図５】本発明の第一の実施例を説明するフローチャートである。
【図６】第二の実施例におけるパーソナルコンピュータ（ＰＣ）の画面上に表示されるダイアログである。
【符号の説明】
【００７４】
１００  複合機（ＭＦＰ）
１０１  ユーザーインターフェース（ＵＩ）
１０２  カードインターフェース（ＣＡＲＤ  Ｉ／Ｆ）
１０３  中央演算装置（Ｃｅｎｔｒａｌ  Ｐｒｏｃｅｓｓｉｎｇ  Ｕｎｉｔ：ＣＰＵ）
１０４  メモリ
１０５  ハードディスクドライブ（ＨＤＤ）
１０６  入出力部（Ｉｎｐｕｔ  Ｏｕｔｐｕｔ）
１０７  スキャナ部
１０８  プリント部
１０９  システムバス
１１０  単機能周辺機器（ＳＦＰ）
１１１  中央演算装置（Ｃｅｎｔｒａｌ  Ｐｒｏｃｅｓｓｉｎｇ  Ｕｎｉｔ：ＣＰＵ）
１１２  メモリ
１１３  ハードディスクドライブ（ＨＤＤ）
１１４  ユーザーインターフェース（ＵＩ）
１１５  入出力部（Ｉｎｐｕｔ  Ｏｕｔｐｕｔ）
１１６  プリント部
１１７  システムバス
１２０  パーソナルコンピュータ（ＰＣ）
１２１  ユーザーインターフェース（ＵＩ）
１２２  中央演算装置（Ｃｅｎｔｒａｌ  Ｐｒｏｃｅｓｓｉｎｇ  Ｕｎｉｔ：ＣＰＵ）
１２３  メモリ
１２４  入出力部（Ｉｎｐｕｔ  Ｏｕｔｐｕｔ）
１２５  ハードディスクドライブ（ＨＤＤ）
１２６  システムバス
１２７  ディスプレイ
１２８  キーボード
１３０  ネットワーク
４００  ダイアログ
４０１  マシン名および場所一覧表示ボックス
４０２  キャンセルボタン
４０３  実行ボタン
６００  ダイアログ
６０１  マシン名および場所一覧表示ボックス
６０２  キャンセルボタン
６０３  実行ボタン
６０４  選択ボタン
５０５  サムネイル表示ボタン
５０６  消去ボタン
【図１】
2006222508.tif 000003
【図２】
2006222508.tif 000004
【図３】
2006222508.tif 000005
【図４】
2006222508.tif 000006
【図５】
2006222508.tif 000007
【図６】
2006222508.tif 000008